(57)【要約】【課題】被写体距離を検出するための手段を必要とすることなく、繰り返し操作の必要ない被写界深度による合焦範囲の確認と選択を可能にした撮像装置を提供すること。【解決手段】調節手段、抽出手段、生成手段、メモリ手段、表示手段、選択手段、操作手段とを有する撮像装置において、操作指示により、レンズの絞り値を所定の範囲で可変させるとともにピーキング表示画像を生成して記憶し、ピーキング表示画像を合成して撮像素子で撮像される映像とピーキング表示画像とを併せて表示することを特徴とする。【選択図】図１（Ａ）
2016092785.tif 000002
【特許請求の範囲】
【請求項１】
撮像素子(B4)に被写体像を結像させるレンズ(C1)の焦点調節および絞り調節を行う調節手段(C2)と、
前記撮像素子で撮像される合焦度合いを表すエッジ成分を抽出する抽出手段(B5)と、
前記抽出手段が抽出したエッジ成分が所定のレベル以上のとの関係を表すピーキング表示画像を生成する生成手段(B5)と、
前記ピーキング表示画像を記憶するメモリ手段(M1)と、
前記撮像素子で撮像される映像と前記ピーキング表示画像とを併せて表示する表示手段(V1)と、
前記レンズの絞り値を選択するための選択手段(SW3)と、
レンズの絞り値による被写界深度による合焦範囲を確認するための操作手段(SW2)と、
を有する撮像装置において、
前記操作指示により、レンズの絞り値を所定の範囲で可変させるとともにピーキング表示画像を生成して記憶、前記記憶した、ピーキング表示画像を合成して前記撮像素子で撮像される映像と前記ピーキング表示画像とを併せて表示することを特徴とする撮像装置。
【請求項２】
レンズ絞り値における所定の範囲は、開放絞り〜最小絞りの範囲とすることを特徴とする請求項１に記載の撮像装置。
【請求項３】
ピーキング表示画像を絞り値ごとに表示色を変えて、合成するとともに、合成時には開放絞りのピーキング表示画像が前面になるように合成することを特徴とする請求項１に記載の撮像装置。
【請求項４】
レンズ絞り値を選択する選択ボタンを絞り値ごとのピーキング表示色に対応するようタッチパネル(V1)へ表示することを特徴とする請求項１に記載の撮像装置。
【請求項５】
前記レンズの絞り値による被写界深度による合焦範囲を確認するための操作手段(SW2)は、オン/オフボタンで有り、ボタンがオンからオフになるまでの間にユーザー設定値のレンズ絞り値に可変させて確認する絞り込みモードと、ボタンをオンにする操作により、レンズの絞り値を所定の範囲で可変させるとともにピーキング表示画像を生成して記憶し合成表示するモードを選択できることを特徴とする請求項１に記載の撮像装置。
【発明の詳細な説明】
【技術分野】
【０００１】
本発明は、撮像装置に関し、特にデジタルカメラ等の撮像装置に関する。
【背景技術】
【０００２】
従来、レンズの絞りを変えて撮影が可能なデジタルカメラにおいて、撮影の効果のため、合焦範囲を所望の被写界深度となるようユーザーはレンズの絞り値を設定しているが、撮影動作以外ではＡＦ評価値の取得やユーザーによる被写体確認のため、より明るく撮像センサーに結像するようレンズを開放に制御している。
【０００３】
ユーザーは被写界深度を確認して撮影するには、撮影されるべき被写界深度をレンズのＦ値設定を変えながら、ユーザー設定Ｆ値に制御する絞り込みボタンを押し、所望のレンズＦ値を設定していた。また合焦の判断として、撮像画像のエッジ成分を抽出し表示を行うピーキング表示で合焦範囲を判断していた。
【０００４】
特許文献１では、被写体距離を取得し、被写体距離に応じて被写体の色を変更した距離画像を表示する手段が開示されている。例えば、特許文献２では、撮像素子で撮像される映像、合焦度合いを表すエッジ成分を抽出し表示する手段が開示されている。
【先行技術文献】
【特許文献】
【０００５】
【特許文献１】特開２００８−１４５２６３号公報
【特許文献２】特開２０１２−７３４６６号公報
【発明の概要】
【発明が解決しようとする課題】
【０００６】
しかしながら、上述の特許文献に開示された従来技術では、被写体距離を検出するための手段が必要となり、撮影機器のコストアップやサイズ大きくなってしまっていた。またエッジ成分を表示するピーキング表示においても、ユーザーは所望の被写界深度となるよう繰り返しレンズ絞りを変えて確認する必要があった。
【０００７】
そこで、本発明の目的は、被写体距離を検出するための手段を必要とすることなく、繰り返し操作の必要ない被写界深度による合焦範囲の確認と選択を可能にした撮像装置を提供することにある。
【課題を解決するための手段】
【０００８】
上記目的を達成するために、本発明は、撮像素子に被写体像を結像させるレンズの焦点調節および絞り調節を行う調節手段と、前記撮像素子で撮像される合焦度合いを表すエッジ成分を抽出する抽出手段と、前記抽出手段が抽出したエッジ成分が所定のレベル以上のとの関係を表すピーキング表示画像を生成する生成手段と、前記ピーキング表示画像を記憶するメモリ手段と、前記撮像素子で撮像される映像と前記ピーキング表示画像とを併せて表示する表示手段と、前記レンズの絞り値を選択するための選択手段と、レンズの絞り値による被写界深度による合焦範囲を確認するための操作手段と、を有する撮像装置において、前記操作指示により、レンズの絞り値を所定の範囲で可変させるとともにピーキング表示画像を生成して記憶、前記記憶した、ピーキング表示画像を合成して前記撮像素子で撮像される映像と前記ピーキング表示画像とを併せて表示することを特徴とする。
【発明の効果】
【０００９】
本発明の撮像装置によれば、装着されたレンズの開放〜最小絞りにおけるピーキング情報を１回の操作で記憶し、ＬＣＤタッチパネルに記憶したピーキング情報を合成表示することで、ユーザーは、各レンズ絞りでの被写界深度による合焦範囲を容易に確認することができる。
【００１０】
またタッチパネル上の絞りに対応したＦ値選択ボタンをタッチすることで、各絞りの被写界深度確認を繰り返し操作することなく、容易に所望の被写界深度による合焦範囲を設定することができるカメラを提供することができる。
【図面の簡単な説明】
【００１１】
【図１（Ａ）】本発明の実施例におけるレンズF値に対応したピーキング情報の表示概念図
【図１（Ｂ）】本発明の実施例におけるレンズF値に対応したピーキング情報の表示概念図
【図１（Ｃ）】本発明の実施例におけるレンズF値に対応したピーキング情報の表示概念図
【図２】本発明の実施例を示す画像記録再生装置のブロック図
【図３】本発明の実施例を示すシステムコントローラのフローチャート
【図４】本発明の実施例を示す機能設定メニュー概念図
【発明を実施するための形態】
【００１２】
以下に、本発明の好ましい実施の形態を、添付の図面に基づいて詳細に説明する。
【００１３】
図２は本発明の実施形態にかかわる特徴を最もよく表す画像記録再生装置の図面であり同図において、Ｃ１は撮像部、Ｃ２は撮像部のレンズ絞りの駆動制御回路、Ｂ４はＣ１より撮像された撮像信号の処理を行う撮像信号処理回路、Ｂ５はピーキング表示情報処理回路、Ｍ１はレンズF値に対応したピーキング情報保持メモリ、Ｍ２は各F値におけるピーキング情報の合成情報メモリ、Ｂ１は記録再生可能なメモリーカード（Ｍ３）への記録データ処理や再生データ処理を行う記録再生データ処理回路、Ｂ２は各回路の動作指示やユーザーインターフェース制御するためのシステムコントローラーマイコンである。
【００１４】
Ｂ３はメモリーカードコントローラー、Ｖ１は撮像画像や再生画像または、機器設定やメニュー項目の設定ボタン表示／検出するＬＣＤタッチパネル、ＳＷ１は撮影を行うシャッターボタン、ＳＷ２はレンズの絞りをユーザー設定の絞りに変更するための絞り込みボタン、ＳＷ３は各種設定をメニューにて行うためのメニュー表示ボタン、ＳＷ４は記録されたシーンの再生を行う再生スイッチである。
【００１５】
本図に於いて、撮影時に於けるシーケンスとしては、撮像部にて撮像される画像は、レンズより画像記録再生装置としてのCMOSセンサーに結像され撮像信号処理回路に於いて所定の読み出しタイミングによりCMOSセンサーから読み出される。読み出されたデータは撮像信号処理回路にてＡＷＢ／γ補正などの画像補正処理が施され画像データに変換され、記録再生データ処理回路に入力され、メモリーカード記録されると共に撮影画像モニターとしてＬＣＤタッチパネルに画像データが表示される。
【００１６】
［実施例１］
以下、図３を参照して、本発明の第1の実施例による、記録装置について説明する。図３は本発明を実施した画像記録再生装置の制御を行うシステムコントローラーマイコンのフローチャートである。このフローチャートに従い図２の画像記録再生装置での被写界深度選択モードのシーケンスを説明する。
【００１７】
[S1]本ステップでは、絞り込みボタンが操作されているかを判断する。絞り込みボタンが操作されている場合、Ｓ２へ分岐し処理を進める。
【００１８】
[S2]絞り込みボタンが、操作され要る場合、あらかじめ設定メニューで設定されている絞り込みボタンの動作モードをチェックする。
【００１９】
図４に示すように、設定メニューは、絞り込みボタンの動作選択や各種機能の動作選択などが可能である。項目選択や機能選択はタッチパネル操作で行い、設定内容は記憶される。絞り込みボタンが操作された場合の、機能設定項目では絞りをユーザーの設定の絞りにレンズの絞りを変更する被写界深度確認モード（図４：絞り込み動作）と、レンズの絞りの可変範囲で絞りを順次可変させ、ピーキング情報を取得し表示する被写界深度シミュレーションモード（図４：深度SIM）の設定が行える。絞り込みボタン設定が被写界深度確認モードの場合には、S13へ分岐し、被写界深度シミュレーションモードの場合には、S3へ分岐する。
【００２０】
[S3]被写界深度シミュレーションモードの動作フローでは、レンズF値に対応したピーキング情報保持メモリ（M1）の初期化を行いS4へ処理を移行する。
【００２１】
[S4]装着されているレンズの開放絞り値〜最小絞りまでの値を取得しS5へ移行する。
【００２２】
[S5]被写界深度シミュレーションモードでは、レンズの開放絞り値〜最小絞りまでのピーキング情報を取得し表示するため、レンズの絞りを開放に設定した後[S6]〜[S8]のステップにて撮像素子で撮像される合焦度合いを表すエッジ成分を抽出し、所定のレベル以上でフィルタリングし画像重畳データ形式に変換後に各表示レイヤーに割り当て（図1-1〜図1-3）絞りに対応させ記憶する動作を、順次絞りを変更しながら実施する。
【００２３】
本実施例でのレンズ絞りは、絞り開放をF2.8、最小絞りをF8とした。最小絞りのピーキング情報の取得完了後に、S9に移行する。なお、ピーキング情報取得時には、センサー特性調整や、ISO感度等を自動で制御し、合焦度合いを表すエッジ成分を抽出しやすくしている。
【００２４】
[S9]本ステップでは、記憶されたピーキング表示情報の画像合成を行う。開放絞りの表示レイヤーが前面になるように最小絞りまでのレイヤーを表示色を変えて画像合成する（図1-6）。
【００２５】
[S10]〜[S12]レンズ絞りを、開放に設定し、LCDタッチパネルにS9にて合成したピーキング情報を図1-1の撮像画像に重畳表示するとともに、図1-7に示すようにF値の選択ボタンを絞りに対応する色でタッチパネルへ配置し、図1-8に示すように、各絞りに於けるピーキング情報とボタンを配置することで、ユーザーは、各レンズ絞りでの被写界深度を容易に確認することができる。
【００２６】
またタッチパネル上の絞りに対応したF値選択ボタンをタッチすることで、各絞りの被写界深度確認を繰り返し操作することなく、容易に所望の被写界深度を設定することができる。
【００２７】
[S13]〜[S14]本ステップでは、絞り込みボタンが押されている間、ユーザーが設定したF値でレンズ絞りを制御し、被写界深度を確認することができる。
【符号の説明】
【００２８】
Ｃ１  撮像装置、Ｃ２  レンズ絞り駆動制御回路、Ｂ１  記録再生データ処理回路、
Ｂ２  システムコントローラー、Ｂ３  メモリーカードコントローラー、
Ｂ４  映像信号の処理を行う撮像画像処理回路、Ｂ５  ピーキング情報処理回路、
Ｖ１  液晶タッチパネル、Ｍ１  ピーキング情報保持メモリ、
Ｍ２  ピーキング情報合成メモリ、Ｍ３  メモリーカード、
ＳＷ１〜ＳＷ４  操作スイッチ
【図１（Ａ）】
2016092785.tif 000003
【図１（Ｂ）】
2016092785.tif 000004
【図１（Ｃ）】
2016092785.tif 000005
【図２】
2016092785.tif 000006
【図３】
2016092785.tif 000007
【図４】
2016092785.tif 000008